(57)【特許請求の範囲】
【請求項１】
浴室内に設置して浴室の洗い場と浴槽間で入浴者が座った座席を旋回移動および上下移動をして入浴を補助するリフトであって、リフト上端部を固定する支持梁連結具と、その連結具で十文字に連結して三方の壁面に負荷を分散する支持梁と、その支持梁を壁面に固定する受け座で構成し、その受け座の中央に立設したボルトを、前記支持梁の長さ方向に形成したボルト挿入孔に差し込み、ナットで受け座と支持梁端部との間隔を調整可能とし、前記受け座と支持梁の間に取り付けた支持梁の外周面を覆う断面形状のカバーは、上面を長さ方向に開口すると共にその両端部を支持梁の左右肩部に引っ掛ける鉤辺を設け、受け座上端部を前方へ折り曲げその先端を下方へ折り曲げて形成した係止辺が、前記鉤辺に形成した切欠部に引っ掛かるようにしたことを特徴とする入浴補助リフトの固定構造。
【請求項２】
前記受け座は、壁面に接するつばを周囲に形成した横長い凹部を有し、その凹部に壁面との摩擦係数が大きい弾性座体を貼付するか、あるいは凹部にコーキング剤を注入する注入孔を設けたことを特徴とする請求項１に記載の入浴補助リフトの固定構造。
【請求項３】
リフト背面に伸びる支持梁の端部に弾性体を固定し、カバーを介して受け座と離着可能にしたことを特徴とする請求項１または２に記載の入浴補助リフトの固定構造。
【請求項４】
連結具に前後方向に伸びる支持梁を載置すると共に左右支持梁の端部をそれぞれ載置して、ビスを連結具下面から支持梁を貫通して前記ボルト挿入孔の上部に形成した長さ方向のナット挿入溝に配置したナットに締め付けて連結具と支持梁を固定し、連結具下端部の挿入孔にリフト上端部を差し込んで固定したことを特徴とする請求項１ないし３のいずれかに記載の入浴補助リフトの固定構造。
【発明の詳細な説明】
【０００１】
【発明の属する技術分野】
本発明は、浴室の洗い場と浴槽間で入浴者が座った座席を旋回移動および上下移動をして入浴を補助するリフトを浴室内に設置するにおいて、そのリフトの上端部を固定する構造に関するものである。
【０００２】
【従来の技術】
現在このような入浴補助リフトを浴室内に設置する場合、壁面にボルト止め等の工事を伴えば介護保険における福祉用具の貸与の対象とならないため、ビス固定等をしないで向き合った壁面間に突っ張り機能を有する支柱を配置して、その支柱の交点に入浴補助装置の上端部を固定する方法が多く用いられている。
しかし、浴室の壁面、特にユニットバスの壁面はあまり強度が無く、強く突っ張り過ぎると壁面がたわんで目地部分が外れるという問題がある。また逆に突っ張り力が弱いと固定ができないという問題がある。
さらに浴室の壁面には、壁面の上下にわたるドア部や上方部に換気扇等があり、現場現場によってその配置位置が異なっているのが通常である。
【０００３】
【発明が解決しようとする課題】
本発明は、ユニットバスのように壁面の強度が強くない浴室でも壁面にビス止めすることなく入浴補助リフトの上端を確実に固定でき、しかも現場の状況に応じてドア部や換気扇の配置位置に影響を受けることが少ない入浴補助リフトの固定構造を提供することを目的とする。
【０００４】
【課題を解決するための手段】
前記課題を解決するため、請求項１の発明は、リフト上端部を固定する支持梁連結具と、その連結具で十文字に連結して三方の壁面に負荷を分散する支持梁と、その支持梁を壁面に固定する受け座で構成し、その受け座の中央に立設したボルトを、前記支持梁の長さ方向に形成したボルト挿入孔に差し込み、ナットで受け座と支持梁端部との間隔を調整可能とし、前記受け座と支持梁の間に取り付けた支持梁の外周面を覆う断面形状のカバーは、上面を長さ方向に開口すると共にその両端部を支持梁の左右肩部に引っ掛ける鉤辺を設け、受け座上端部を前方へ折り曲げその先端を下方へ折り曲げて形成した係止辺が、前記鉤辺に形成した切欠部に引っ掛かるようにした。
このようにリフト上端部にかかる負荷を三方の壁面に分散するので比較的強度が弱い浴室壁面でも固定することが可能となり、また浴室の大きさに合わせて受け座間の距離を微調整することができ、カバーにより受け座と支持梁端部の隙間を隠すことができる。
【０００７】
請求項２の発明は、壁面に接するつばを周囲に形成した横長い凹部を有し、その凹部に壁面との摩擦係数が大きい弾性座体を貼付するか、あるいは凹部にコーキング剤を注入する注入孔を設けた受け座とした。このように構成することにより、受け座の壁面固定の位置決めを容易にすることができる。
【０００８】
請求項３の発明は、リフト背面に伸びる支持梁の端部に弾性体を固定し、カバーを介して受け座と離着可能にした。このように構成することにより、受け座が壁面から引き剥がされることがなく、よって位置が徐々にずれていくことがない。
【０００９】
請求項４の発明は、連結具に前後方向に伸びる支持梁を載置すると共に左右支持梁の端部をそれぞれ載置して、ビスを連結具下面から支持梁を貫通して前記ボルト挿入孔の上部に形成した長さ方向のナット挿入溝に配置したナットに締め付けて連結具と支持梁を固定し、連結具下端部の挿入孔にリフト上端部を差し込んで固定した。このように構成することにより、リフト上端部を支持梁に確実に固定できる。
【００１０】
【発明の実施の形態】
本発明の実施の形態を図面を参照して説明する。
図１は、洗い場Ｂと浴槽Ｃ間で入浴者が座った座席を旋回移動および上下移動する入浴補助リフトＡを浴室内に設置し、その入浴補助リフトＡの上端部を本発明の連結具１とその連結具１で十文字に連結された支持梁２、３と、支持梁を壁面に固定する受け座４、５で固定した状態を示す斜視図である。
【００１１】
図２は、本発明の支持梁３と受け座４とカバー６の連結状態を示した斜視図である。支持梁３は、１／４の略扇型断面形状をしており中央に長さ方向のボルト挿入孔３１を形成し上方左右に山型形状の肩部３２を形成している。受け座４は、横長い小判型形状で壁面に対する凹部４５の周縁に壁面に接するつば４４を形成し、つば４４の上端を前方へ折り曲げさらにその先端を下方に折り曲げて係止辺４３を形成し、凹部４５の中央にナット４２を有するボルト４１を立設すると共にコーキング剤を注入するための注入孔４６を設けている。
【００１２】
カバー６は、受け座４と支持梁３の間に配置して隙間を隠すもので支持梁の両肩部から円弧面にわたる外周を覆う断面形状であり、上部に長さ方向の開口部６１を有しその開口部の両端に前記支持梁の肩部３２に対応した鉤辺６２を形成し、受け座４側の鉤辺６２には受け座４のつば４４に突き当たる凸部６３と前記係止辺４３が引っ掛かる切欠部６４を形成している。
【００１３】
図３は、支持梁３と受け座４とカバー６の連結状態を示した側面方向の断面図であり、支持梁３のボルト挿入孔３１に挿入した受け座４のボルト４１とナット４２で支持梁３の端部と受け座４の座面との間隔を微調整する。壁面Ｗに対する受け座４の位置を決めた後、凹部４５の注入孔４６からコーキング剤Ｋを注入し壁面に固定する。あるいは凹部４５に壁面Ｗに対して摩擦係数が大きい弾性座体を貼付したり、両面テープ等で固定しても良い。
【００１４】
図４は、支持梁３と受け座４とカバー６の連結状態を示した正面方向の断面図であり、カバー６は支持梁３の湾曲した底面と左右の斜辺３３から肩部３２にわたる外周面を覆う断面形状であり、前記肩部３２、３２に係止する鉤辺６２、６２を有する。
【００１５】
図５は、連結具１の上に支持梁２、３を十文字状に連結した状態を分解して示した斜視図である。連結具１は、支持梁の底面を受ける断面円弧形状の受部１１、１２を平面Ｔ型にした形状であり、受部１２の下面にはリフト上端部Ａ１を挿入する挿入孔１３を設け、また受部１１、１２にはそれぞれ支持梁を固定するためのビス挿入孔１４を設けている。支持梁２は支持梁３と同一断面形状であり、連結具１の受部１１上に前後にわたって配置され、支持梁３、３は連結具１の受部１２上でその各端部を支持梁２に向け直交状に配置されている。
【００１６】
図６は、連結具１の上に支持梁２、３を十文字状に連結した状態の断面図であり、連結具１と支持梁２、３の連結は、支持梁２、３のボルト挿入孔３１の上に設けたナット挿入溝３４にナットＮを挿入し、ビスＭで連結具１のビス挿入孔１４から支持梁の底面およびボルト挿入孔を貫通して前記ナットＮで締め付けて固定している。
【００１７】
図７は、入浴補助リフトの背面の壁Ｗ１における支持梁２の端部と受け座５とカバー６の接合状態を分解して示した斜視図であり、支持梁２の端部に固定金具２１を差し込んで固定し、その固定金具２１の中央にネジ孔を設けてゴム体Ｒを固定している。また支持梁２と受け座５の間にカバー６を配置している。受け座５は受け座４のボルト４１がついていない状態のものである。
【００１８】
図８と図９は、前記図７の側面方向の断面図である。通常は図８のように支持梁２の端部に固定金具２１を介して固定されたゴム体Ｒが受け座５に当っている。入浴補助リフトに要介護者が座ると浴室の壁面Ｗ１に対面する壁面に負荷が掛かりその壁面がたわむことにより図９のようにゴム体Ｒは受け座５から若干離れる。ゴム体Ｒは再度受け座５に当る衝撃をやわらげるためのものである。
【００１９】
【発明の効果】
浴室の壁面に対してビス止め等の工事を伴うことなく取付けでき、入浴補助リフトに掛かる負荷の移動により、リフトの正面および左右の三方の壁面に負荷を分散するので、ユニットバス等の比較的壁面強度の低い浴室でも、介護保険における福祉用具の貸与の対象として入浴補助リフトを設置することが出来る。
【００２０】
浴室の対面する壁面間を突張り支柱で突っ張って支持するのではなく、支持梁の端部に受け座を設けて壁面にコーキング固定あるいは摩擦係数の大きな材質で形成した座を設けて、負荷が加わった場合に浴室壁面で支える構造であるので通常は壁面に負荷がかからず比較的強度が弱い浴室壁面でも固定することが可能であり、長期使用していても設置状態が悪くなるようなことがない。
【００２１】
浴室壁面は、ドアが壁面の上下にわたって設けられたり、天井近くに換気扇が設けられたり、照明装置が設置されたりして、しかもその配置は現場現場によって異なっていることが多い。受け座は壁面全体と比較すると大きくないため、そういった負荷をかけることが出来ない個所を避けて固定することが可能である。支持梁は既存の浴室寸法に合わせて現場で微調整が可能であり、突張り機能も兼ね備えているため施工性が良い上にしっかりと固定できる。
【図面の簡単な説明】
【図１】本発明の固定構造で入浴補助リフトを設置した状態を示す斜視図
【図２】本発明の支持梁と受け座とカバーの連結状態を示した斜視図
【図３】図２における側面方向の断面図
【図４】図２における正面方向の断面図
【図５】連結具で支持梁を連結した状態を示した分解斜視図
【図６】図５における断面図
【図７】支持梁と受け座とカバーの接合状態を示した分解斜視図
【図８】図７の側面方向の断面図
【図９】図７の側面方向の断面図
【符号の説明】
Ａ…入浴補助リフト
Ｂ…洗い場
Ｃ…浴槽
１…連結具
２、３…支持梁
４、５…受け座
６…カバー
【図１】
0003662213.tif 000002
【図２】
0003662213.tif 000003
【図３】
0003662213.tif 000004
【図４】
0003662213.tif 000005
【図５】
0003662213.tif 000006
【図６】
0003662213.tif 000007
【図７】
0003662213.tif 000008
【図８】
0003662213.tif 000009
【図９】
0003662213.tif 000010